(57)【要約】【課題】本発明は、把持機構をトルクの掛かる位置とは別の位置に配置して、耐トルク力と耐久性を確保し且つ手術の作業性を保持する歯科インプラント用手術器具を提供する。【解決手段】アダプタは、貫通孔内のフィクスチャー側の端部に歯科ドライバーに固定される多角形状の雌固定部と、フィクスチャー側と反対側の端部にトルクレンチを嵌合するレンチ連結部とを有しており、歯科ドライバーは、アダプタの貫通孔内に収納可能な上部軸部、及びフィクスチャー側の端部に形成された回転伝達軸部を備えた軸本体部と、上部軸部の回転伝達軸部側に形成された雌固定部と嵌合してアダプタを固定する多角形状の雄固定部と、上部軸部の雄固定部と異なる位置に形成された突起部とを有しており、アダプタの貫通孔内には、上部軸部の突起部を把持して歯科ドライバーを連結する把持部を有する貫通形状の連結部材が内在されている。【選択図】図１
2018089205.tif 000002
【特許請求の範囲】
【請求項１】
患者の口腔内に挿入されたフィクスチャーに回転力を伝達させる歯科ドライバーと、該歯科ドライバーと連結されトルクレンチを嵌合可能なアダプタとを有する歯科インプラント用手術器具であって、
前記アダプタは、
貫通孔を有する筒形形状とされ、
前記貫通孔内のフィクスチャー側の端部に前記歯科ドライバーに固定される多角形状の雌固定部と、
前記フィクスチャー側と反対側の端部に前記トルクレンチを嵌合するレンチ連結部と、
を有しており、
前記歯科ドライバーは、
前記アダプタの前記貫通孔内に収納可能な上部軸部、及び前記フィクスチャー側の端部に形成された回転伝達軸部を備えた軸本体部と、
前記上部軸部の前記回転伝達軸部側に形成された、前記雌固定部と嵌合して前記アダプタを固定する多角形状の雄固定部と、
前記上部軸部の前記雄固定部と異なる位置に形成された軸方向と直交する方向に突出する突起部とを有しており、
前記アダプタの前記貫通孔内には、前記上部軸部の前記突起部を把持して前記歯科ドライバーを連結する把持部を有する貫通形状の連結部材が内在されていることを特徴とする歯科インプラント用手術器具。
【請求項２】
前記連結部材は、
前記アダプタに対して着脱可能であることを特徴とする請求項１に記載の歯科インプラント用手術器具。
【請求項３】
前記連結部材の前記把持部は、
前記フィクスチャー側の端部に形成された軸方向に延びる複数のスリットと、前記突起部を掛け止める止め部とを有することを特徴とする請求項１又は２に記載の歯科インプラント用手術器具。
【請求項４】
前記連結部材は、樹脂製であることを特徴とする請求項１〜３の何れか一項に記載の歯科インプラント用手術器具。
【請求項５】
前記連結部材の前記フィクスチャー側と反対側の端部には、
軸方向に延びる複数のスリットと、軸方向と直交する方向に突出するフランジ部とを有していることを特徴とする請求項１〜４の何れか一項に記載の歯科インプラント用手術器具。
【請求項６】
前記アダプタの前記フィクスチャー側と反対側の端部には、
前記連結部材の前記フランジ部を載置する載置部が形成されていることを特徴とする請求項５に記載の歯科インプラント用手術器具。
【請求項７】
前記歯科ドライバーの前記突起部は、
前記上部軸部の外周面を囲む環状形状に形成されていることを特徴とする請求項１に記載の歯科インプラント用手術器具。
【請求項８】
前記アダプタの前記雌固定部は、
前記フィクスチャーと連結されたマウント部材の多角形状の雄固定部と連結可能であることを特徴とする請求項１に記載の歯科インプラント用手術器具。
【発明の詳細な説明】
【技術分野】
【０００１】
本発明は、歯科インプラント用手術器具に関する。
【背景技術】
【０００２】
従来から、体内に埋め込まれるインプラント（特に歯科インプラント）手術が注目されている。歯科インプラントは、一般に、虫歯や破損により永久歯の歯根が失われた場合、歯槽骨に設けた穴にフィクスチャーを挿入して固定するものである。
【０００３】
歯槽骨に対してフィクスチャーを固定する手術を行う際には、先端をフィクスチャーと嵌合し、ハンドピース等からの回転力を伝達させるインプラント用ドライバー等と呼ばれる手術器具が用いられる（例えば、特許文献１）。
【０００４】
また、歯科インプラント用手術器具として、インプラント用ドライバー（以下、単に歯科ドライバーという）を手動又はトルクレンチなどにより回転させるためのアダプタが公知である。
【０００５】
従来の歯科ドライバーは、回転軸部を有しており、先端側にフィクスチャーと嵌合可能な多角形状の回転伝達軸部が設けられている。また回転軸部のフィクスチャーと反対側は、筒状に形成されたアダプタの中空部内に収納される。回転軸部の略中央位置には横断面が四角形状の連結部が設けられている。
【０００６】
アダプタは、フィクスチャーと反対側に、トルクレンチを連結するレンチ連結部を有し、フィクスチャー側に、連結部と対応する形状の把持部を有している。このアダプタの把持部とドライバーの連結部とで把持機構が構成される。
【０００７】
この連結機構により、ドライバーとアダプタとが連結され、アダプタのレンチ連結部を手で回す又はトルクレンチが嵌合されて回転力が加えられると、フィクスチャーに回転力を伝達できる。なお、把持部は、連結部との回転方向の固定を強めるために板バネや、スリットなどが具備されている。
【先行技術文献】
【特許文献】
【０００８】
【特許文献１】特開２０１４−２２６１５４号公報
【発明の概要】
【発明が解決しようとする課題】
【０００９】
従来の歯科ドライバーとアダプタを有する歯科インプラント用手術器具は、以下のような課題点がある。
【００１０】
歯科ドライバーとアダプタを連結する把持機構が形成される位置は、歯科インプラント用手術器具の最もトルクが掛かる位置である。
【００１１】
したがって、把持機構に大きなトルク力が度々掛かって、歯科ドライバーの連結部やアダプタの把持部が変形したり破損する虞がある。更に、把持部に連結部との回転方向の固定を強めるために弾性力を有する板バネやスリットなどが形成されると、板バネやスリットが脆弱部となり、耐トルク力を低下させてしまう要因となる。
【００１２】
すると、歯科ドライバーは、手動やトルクレンチからの回転力をフィクスチャーに充分に伝達できず、手術の作業性が低下する。
【００１３】
本発明の一つの実施形態の目的は、把持機構をトルクの掛かる位置とは別の位置に配置して、耐トルク力と耐久性を確保し且つ手術の作業性を保持する歯科インプラント用手術器具を提供することにある。
【課題を解決するための手段】
【００１４】
上記の課題は、
患者の口腔内に挿入されたフィクスチャーに回転力を伝達させる歯科ドライバーと、該歯科ドライバーと連結されトルクレンチを嵌合可能なアダプタとを有する歯科インプラント用手術器具であって、
前記アダプタは、
貫通孔を有する筒形形状とされ、
前記貫通孔内のフィクスチャー側の端部に前記歯科ドライバーに固定される多角形状の雌固定部と、
前記フィクスチャー側と反対側の端部に前記トルクレンチを嵌合するレンチ連結部と、
を有しており、
前記歯科ドライバーは、
前記アダプタの前記貫通孔内に収納可能な上部軸部、及び前記フィクスチャー側の端部に形成された回転伝達軸部を備えた軸本体部と、
前記上部軸部の前記回転伝達軸部側に形成された、前記雌固定部と嵌合して前記アダプタを固定する多角形状の雄固定部と、
前記上部軸部の前記雄固定部と異なる位置に形成された軸方向と直交する方向に突出する突起部とを有しており、
前記アダプタの前記貫通孔内には、前記上部軸部の前記突起部を把持して前記歯科ドライバーを連結する把持部を有する貫通形状の連結部材が内在されていることを特徴とする歯科インプラント用手術器具を提供できる。
【図面の簡単な説明】
【００１５】
【図１】本発明の一実施形態に係る歯科インプラント用手術器具と、トルクレンチと、フィクスチャーを示す分解斜視図である。
【図２】本発明の一実施形態に係る歯科インプラント用手術器具の組立状態を示す図であり、（Ａ）は側面図、（Ｂ）は（Ａ）のＩ―Ｉ矢視断面図である。
【図３】本発明の一実施形態に係る歯科インプラント用手術器具を構成するアダプタを説明する図であり、（Ａ）は上方斜視図、（Ｂ）は下方斜視図、（Ｃ）は底面図である。
【図４】本発明の一実施形態に係る歯科インプラント用手術器具を構成する歯科ドライバーを説明する図であり、（Ａ）は上方斜視図、（Ｂ）は下方斜視図、（Ｃ）は平面図である。
【図５】本発明の一実施形態に係る歯科インプラント用手術器具を構成する連結部材を説明する図であり、（Ａ）は上方斜視図、（Ｂ）は下方斜視図、（Ｃ）は底面図である。
【図６】本発明の一実施形態に係る歯科インプラント用手術器具を構成するアダプタと連結部材とを組合わせた状態を説明する上方斜視図である。
【図７】本発明の一実施形態に係る歯科インプラント用手術器具を構成するアダプタをマウント部材と連結する変形例を説明する分解斜視図である。
【図８】本発明の一実施形態に係る歯科インプラント用手術器具を構成するアダプタをマウント部材と連結した状態を例示する変形例の組立図である。
【発明を実施するための形態】
【００１６】
本実施形態に係る歯科インプラント用手術器具を説明する。各図面中、同一又は相当する部分には同一の符号を付しており、その重複説明は適宜簡略化ないし省略する。図面は、部材もしくは部品間の相対比を示すことを目的としない。したがって、具体的な寸法は、以下の限定的でない実施形態に照らし、当業者により決定することができる。
【００１７】
図１は、本発明の一実施形態に係る歯科インプラント用手術器具１と、トルクレンチＴＲと、フィクスチャーＦを示す分解斜視図である。図２は、本発明の一実施形態に係る歯科インプラント用手術器具１の組立状態を示す図であり、（Ａ）は側面図、（Ｂ）は（Ａ）のＩ―Ｉ矢視断面図である。
【００１８】
図１に示すように歯科インプラント用手術器具１は、患者の口腔内に挿入されたフィクスチャーＦに回転力を伝達させる歯科ドライバー２と、該歯科ドライバー２と連結されトルクレンチＴＲを嵌合可能なアダプタ３と、アダプタ３内に内在される連結部材４とを含む。
【００１９】
トルクレンチＴＲは、インプラント手術時にフィクスチャーＦを顎骨内に深く埋入させるなど慎重を期す歯科ドライバー２の回転作業に使用される。トルクレンチＴＲは、本体部ＴＲ１と、先端部に設けられたアダプタ３と連結されるリング形状の連結部ＴＲ２を有している。連結部ＴＲ２は、後述するアダプタ３のレンチ連結部３３と嵌合可能な形状を内壁面に有している。
【００２０】
フィクスチャーＦは、細長い筒状に形成されており、患者の口腔側（図示上、下側）の先端部が閉じられ、且つ、先端部とは反対側の基端部Ｆ１が開放された形状を有している。フィクスチャーＦの外周部には、雄ねじ部Ｆ２が形成されている。フィクスチャーＦの雄ねじ部Ｆ２は、患者の顎骨にねじ込まれて固定される。基端部Ｆ１の内周面は多角形状の雌固定部などに形成されて、歯科ドライバー２の先端側（矢印Ｙ２側）と連結可能な構成とされている。勿論、基端部Ｆ１は、歯科ドライバー２のみならずマウント部材など他の手術器具と連結することも可能である。
【００２１】
なお、以下の説明において、矢印Ｙ２側は、フィクスチャー側を指し、矢印Ｙ１側は、トルク発生側を指す。トルク発生側とは、トルクレンチＴＲやハンドピースなどトルクを発生させる器具が接続される側を指す。
【００２２】
次に、本実施形態に係る歯科インプラント用手術器具１について図面に基づいて説明する。本実施形態の歯科インプラント用手術器具１は、図２に示すように歯科ドライバー２、アダプタ３、連結部材４とが一体化される構成である。即ち、歯科ドライバー２の上部軸部２１の外周位置に、連結部材４が内在されたアダプタ３を嵌め入れて一体化する。本実施形態においては、歯科ドライバー２を把持する把持機構の位置と、歯科ドライバー２とアダプタ３におけるトルクの掛かる位置とが異なるように配置したことを特長としている。
【００２３】
（アダプタ）
先ず、本実施形態に係る歯科インプラント用手術器具１を構成するアダプタ３について図１〜図３に基づいて説明する。図３は、本発明の一実施形態に係る歯科インプラント用手術器具１を構成するアダプタ３を説明する図であり、（Ａ）は上方斜視図、（Ｂ）は下方斜視図、（Ｃ）は底面図である。
【００２４】
アダプタ３は、貫通孔３１を備えた筒形形状の本体部３０を有している。また本実施形態のアダプタ３は、雌固定部３２とレンチ連結部３３を有している。
【００２５】
雌固定部３２は、貫通孔３１内のフィクスチャー側（矢印Ｙ２側）の端部に設けられている。雌固定部３２の形状は、後述の歯科ドライバー２の雄固定部２１１と嵌合可能な形状とされている。本実施形態では６角形状とされているがこの限りではなく、３角以上の多角形状であればよい。
【００２６】
レンチ連結部３３は、本体部３０のトルク発生側（矢印Ｙ１側）の外周面に設けられており、トルクレンチＴＲを接続する。レンチ連結部３３は、本体部３０のトルク発生側（矢印Ｙ１側）の外周面に軸方向延在する突条部３３１が一定の間隔で設けられている。なおトルクレンチＴＲの連結部ＴＲ２の内壁面には、図示することは省略したが前記した複数の突条部３３１と嵌まり合う複数の凹部が形成されており、両者を嵌合することでトルクレンチＴＲはレンチ連結部３３に接続される。
【００２７】
レンチ連結部３３の上縁部には、軸方向と直交する方向に延びる溝部３３２が設けられている。この溝部３３２は、後述する連結部材４の上縁部を位置決め支持する。また溝部３３２には、後述する連結部材４のフランジ部４４を載置する載置部３３２ａを有している。
【００２８】
また、載置部３３２ａは、図２（Ｂ）に示すように、貫通孔３１の内壁３１ａより内方（中心軸寄り）に突出した止め部３３２ｂが形成されている。止め部３３２ｂは、内壁３１ａの内周面に沿って環状形状に形成されている。なお、止め部３３２ｂは、後述する連結部材４の凹部４５と嵌合される構成である。
【００２９】
レンチ連結部３３が設けられている本体部３０の径は、雌固定部３２が設けられている本体部３０の径より大きく形成されている。これは、トルクレンチＴＲの連結部ＴＲ２との関係に依存するが、手動でトルク力を発生させる際にレンチ連結部３３を容易に摘み持てるようにするためでもある。
【００３０】
（歯科ドライバー）
次に、本実施形態に係る歯科インプラント用手術器具１を構成する歯科ドライバー２について図１、図２及び図４に基づいて説明する。図４は、本発明の一実施形態に係る歯科インプラント用手術器具１を構成する歯科ドライバー２を説明する図であり、（Ａ）は上方斜視図、（Ｂ）は下方斜視図、（Ｃ）は平面図である。
【００３１】
歯科ドライバー２は、トルク発生側に形成されたアダプタ３の貫通孔３１内に収納される上部軸部２１と、フィクスチャー側（矢印Ｙ２側）の端部に形成された回転伝達軸部２２を備えた軸本体部２３を有している。なお、歯科ドライバー２は、アダプタ３が接合されていない場合には、トルク発生側（矢印Ｙ１側）にハンドピースが接続可能な構成とされている。
【００３２】
上部軸部２１は、雄固定部２１１と、突起部２１２と、ハンドピース連結部２１３を有している。
【００３３】
雄固定部２１１は、上部軸部２１の回転伝達軸部２２側に形成される。雄固定部２１１は、アダプタ３の雌固定部３２と嵌合してアダプタ３を固定可能な多角形状とされている。本実施形態では６角形状である。
【００３４】
突起部２１２は、上部軸部２１において雄固定部２１１と異なる位置に形成されており、軸方向と直交する方向に突出している。突起部２１２は、上部軸部２１の外周面を囲む環状形状に形成されてよい。図示例の突起部２１２は、雄固定部２１１より上方位置（矢印Ｙ１寄りのトルク発生側）に形成されている。この突起部２１２は、図２（Ｂ）に示すように後述する連結部材４の把持部４２とで把持機構を構成する部材となる。したがって突起部２１２の位置が把持機構の位置Ｈとなる。
【００３５】
なお、本実施形態の歯科インプラント用手術器具１においてトルクが掛かる位置とは、アダプタ３の雌固定部３２と歯科ドライバー２の雄固定部２１１との連結箇所Ｒである。したがって、本実施形態の歯科インプラント用手術器具１は、把持機構の位置Ｈとトルクが掛かる連結箇所Ｒとは異なる位置に配置される。
【００３６】
ハンドピース連結部２１３は、上部軸部２１のトルク発生側（矢印Ｙ１側）の端部に形成されており、ハンドピースと連結可能な形状を有している。本実施形態のハンドピース連結部２１３は、Ｄカットが施された半円弧形状とされている。
【００３７】
回転伝達軸部２２は、フィクスチャー側（矢印Ｙ２側）の端部に連結軸部２２１を有している。連結軸部２２１は、多角形状に形成された連結片２２１ａと先端部２２１ｂを有している。連結片２２１ａは、フィクスチャーＦの基端部Ｆ１の内周面に形成された雌固定部と対応する形状に形成されている。本実施形態の連結片２２１ａと基端部Ｆ１の内周面の雌固定部は、６角形状とされている。連結片２２１ａと先端部２２１ｂは、フィクスチャーＦの基端部Ｆ１の開口部内に挿入され、少なくとも連結片２２１ａとフィクスチャーＦの雌固定部とが嵌合されることにより、フィクスチャーＦと歯科ドライバー２との供回りが可能となる。なお、先端部２２１ｂは、連結片２２１ａより小径とされ、円柱形状に形成されていてよい。
【００３８】
上部軸部２１と回転伝達軸部２２との間には、軸方向と直交する方向に延在するフランジ部２４が形成されている。フランジ部２４は、上面に上部軸部２１の外周位置に配置されるアダプタ３の下端面が当接される。したがってフランジ部２４は、アダプタ３の位置決め機能を発揮する。図示例のフランジ部２４は、環状形状とされているが、この限りではなく多角形状であってよい。
【００３９】
（連結部材）
次に、本実施形態に係る歯科インプラント用手術器具１を構成する連結部材４について図１、図２及び図５に基づいて説明する。図５は、本発明の一実施形態に係る歯科インプラント用手術器具１を構成する連結部材４を説明する図であり、（Ａ）は上方斜視図、（Ｂ）は下方斜視図、（Ｃ）は底面図である。
【００４０】
本実施形態の連結部材４は、アダプタ３の貫通孔３１内に収納されて、歯科ドライバー２を連結する部材である。連結部材４は、図２（Ｂ）に示すように貫通孔３１内であって、且つ歯科ドライバー２の上部軸部２１の外周位置に配置される。また、連結部材４は、アダプタ３の貫通孔３１に対して着脱可能な部材である。
【００４１】
連結部材４は、貫通孔４１を有する筒形形状の本体部４０を有している。連結部材４の本体部４０のフィクスチャー側（矢印Ｙ２側）の端部には把持部４２が形成されている。
【００４２】
把持部４２は、軸方向に延びる複数のスリット４２１と、貫通孔４１内であって周方向に隣接するスリット４２１の間に形成された突起部２１２を掛け止める止め部４２２と、当該止め部４２２の直上位置に形成された窪み部４２３とを有する。
【００４３】
スリット４２１は、図示例では４つ設けられているが、この限りではなく２か所あればよい。把持部４２は、スリット４２１により弾性変形が可能となる。止め部４２２は、貫通孔４１の内周面の下端部に形成され、中心軸（仮想）に向かって内方に突出する形状とされている（図２（Ｂ）参照）。また止め部４２２は、内周方向に沿って延在する形状である。窪み部４２３は、外方へ湾曲する形状とされており、歯科ドライバー２の突起部２１２の外周面と対応する形状とされている。
【００４４】
上記構成の連結部材４を内在したアダプタ３を、歯科ドライバー２の上部軸部２１に嵌め込む際、連結部材４の把持部４２の止め部４２２が歯科ドライバー２の突起部２１２と接触する。すると、把持部４２には突起部２１２により外方（矢印Ｘ１、Ｘ２方向）へ開く力が作用する。その際、把持部４２はスリット４２１により外方に向かって弾性変形する。したがって、把持部４２は突起部２１２を跨いで進入できる。また、把持部４２は、突起部２１２を跨いで進入した後は、内方への弾性力により止め部４２２と窪み部４２３が図２（Ｂ）の位置に止まり、両者で歯科ドライバー２の突起部２１２を把持する。
【００４５】
本実施形態の連結部材４は、アダプタ３の貫通孔３１内に着脱可能に内在する構成を有している。その点を、図２、図５、図６から説明する。図６は、連結部材４をアダプタ３の貫通孔３１内に内在させた状態を示す上方斜視図である。
【００４６】
連結部材４のトルク発生側（矢印Ｙ１側）の端部には、軸方向に延びる複数のスリット４３が設けられており、周方向に隣接するスリット４３の間には軸方向と直交する方向（矢印Ｘ１Ｘ２方向）に突出するフランジ部４４を有している。図示例ではスリット４３は、１８０°対向する位置に２箇所設けられており、周方向に隣接するスリット４３の間に形成されるフランジ部４４も対峙する２箇所に設けられている。対峙する２つのフランジ部４４は、上記したアダプタ３の溝部３３２に嵌合可能な幅と形状を有している。
【００４７】
また、フランジ部４４の直下位置には本体部４０の外周方向に沿って凹部４５が形成されている。凹部４５は、上述したアダプタ３の載置部３３２ａに形成された内方に突出する止め部３３２ｂと嵌合される（図２（Ｂ）参照）。
【００４８】
連結部材４は、上記構成のスリット４３とフランジ部４４によりアダプタ３の貫通孔３１内に着脱可能に内在できる。
【００４９】
図６に示すように、対峙する２つのフランジ部４４は、上記したアダプタ３の溝部３３２内に嵌合され、フランジ部４４の下面は溝部３３２に形成された載置部３３２ａ上に載置されることで、連結部材４はアダプタ３の貫通孔３１内に内在される。このとき、連結部材４の凹部４５は、アダプタ３の止め部３３２ｂと嵌合されている。
【００５０】
連結部材４を、アダプタ３の貫通孔３１から取外す際には、２つのフランジ部４４のそれぞれの外周面を摘んで中心方向（矢印Ｎ方向）へ力を加えると、フランジ部４４はスリット４３により矢印Ｎ方向へ弾性変形して、凹部４５が止め部３３２ｂから離脱する。すると連結部材４を、アダプタ３の貫通孔３１内から抜き出すことが可能となる。本実施形態の連結部材４は、樹脂製であることが好ましいが、金属製であってもよい。
【００５１】
上記してきたように本実施形態の歯科インプラント用手術器具１は、図２（Ｂ）に示すように歯科ドライバー２の突起部２１２と連結部材４の把持部４２とで構成される把持機構の位置Ｈが、トルクの掛かる位置と異なる箇所となるように構成されている。トルクが掛かる位置とは、アダプタ３の雌固定部３２と歯科ドライバー２の雄固定部２１１との連結箇所Ｒである。
【００５２】
したがって本実施形態の歯科インプラント用手術器具１は、歯科ドライバー２に高トルクが伝達されても、把持機構が損傷することを防止でき、連結箇所Ｒにおける耐トルク力を保持して耐久性を確保できる。また、連結箇所Ｒにおけるトルク性能が安定するので、手術の作業性を保持できる。
【００５３】
また、本実施形態の歯科インプラント用手術器具１を構成する連結部材４は、アダプタ３に対して着脱可能であるため、手術後に取外して、クリーニングなどを容易に行なうことができ衛生的である。
【００５４】
（変形例）
次に、本実施形態の歯科インプラント用手術器具１を実施する際の変形例を図７、図８から説明する。図７は、本発明の一実施形態に係る歯科インプラント用手術器具１を構成するアダプタ３をマウント部材５と連結する変形例を説明する分解斜視図である。図８、本発明の一実施形態に係る歯科インプラント用手術器具１を構成するアダプタ３をマウント部材５と連結した状態を例示する変形例の組立図である。図７は説明の関係上、一部透過斜視図とした。また、図８は、説明の関係上、一部を透過断面図とした。
【００５５】
本実施形態の歯科インプラント用手術器具１を構成するアダプタ３は、図１〜図６では、歯科ドライバー２と接続される構成を説明した。しかし、本実施形態のアダプタ３は、フィクスチャーＦの基端部Ｆ１に接続されたマウント部材５とも連結できる。
【００５６】
マウント部材５は、中実棒形状の軸本体部５０を有している。軸本体部５０のフィクスチャー側の端部にネジ部５１、該ネジ部５１の直上位置にフィクスチャーＦの基端部Ｆ１の雌固定部と嵌合可能な形状に形成された第１雄固定部５２を有している。図示例の第１雄固定部５２は６角形状とされているが、この限りではなく３角形状以上であればよい。ネジ部５１は、フィクスチャーＦの基端部Ｆ１内の内壁面に形成された雌ネジ部に螺着される。
【００５７】
軸本体部５０のトルク発生側（矢印Ｙ１側）の端部には、手動用のドライバーの先端と連結される受け溝５４ａが形成されたドライバー連結部５４を有している。また、軸本体部５０は、ドライバー連結部５４の下方位置に形成された、アダプタ３の雌固定部３２と嵌合可能な形状に形成された多角形状の第２雄固定部５３を有している。変形例において、アダプタ３の雌固定部３２とマウント部材５の第２雄固定部５３との連結箇所が、トルクの掛かる位置となる。
【００５８】
軸本体部５０の第２雄固定部５３とドライバー連結部５４との間には、軸方向と直交する方向に突出する突起部５５が設けられている。突起部５５は、軸本体部５０の外周面を囲む環状形状に形成されてよい。この突起部５５は、連結部材４の把持部４２に把持される。把持機構としては、歯科ドライバー２の突起部２１２と連結部材４の把持部４２と同様の構成を有している。
【００５９】
更に軸本体部５０の突起部５５の直下位置（矢印Ｙ２側）には、軸方向と直交する方向に延在するフランジ部５６が形成されている。フランジ部５６は、上面にアダプタ３の下端面が当接される。したがってフランジ部５６は、アダプタ３の位置決め機能を発揮する。フランジ部５６は、多角形状とされているが円形であってもよい。
【００６０】
上記構成のマウント部材５は、軸本体部５０のフランジ部５６より上方部分に、本実施形態のアダプタ３を嵌め入れて両者を連結できる。即ち、マウント部材５の第２雄固定部５３が、アダプタ３の雌固定部３２と嵌合することにより連結できる。このときマウント部材５の突起部５５は、連結部材４の止め部４２２と窪み部４２３により把持されている。したがって変形例においても、把持機構の位置は、トルクの掛かる位置とは異なる位置に配置される。
【００６１】
なお、本実施形態のアダプタ３の雌固定部３２は、歯科ドライバー２の雄固定部２１１とマウント部材５の第２雄固定部５３の両方と嵌合可能な形状を有している。本実施形態では、歯科ドライバー２の雄固定部２１１とマウント部材５の第２雄固定部５３とは、同じ形状を有している。
【００６２】
ところで、従来フィクスチャーからマウント部材を取外す場合、マウント部材の外周面を、フィクスチャーが供回りしないように別途用意したレンチなどをかませたうえで、マウント部材を手動ドライバーで回してフィクスチャーから取るという方法を用いていた。この方法は、供回りしないようにレンチをかませる操作と、マウント部材の取外し操作を同時に行う必要があるため作業性が非常に悪かった。
【００６３】
本実施形態の歯科インプラント用手術器具１を構成するアダプタ３は、フィクスチャーＦの基端部Ｆ１に接続されたマウント部材５とも連結できる構成である。また、本実施形態のアダプタ３は、貫通孔３１（及び連結部材４の貫通孔４１）を有しているため、貫通孔３１内に手動用のドライバーなどを指し込み可能な構成である。
【００６４】
したがって、フィクスチャーＦ１からマウント部材５を取外す場合、アダプタ３の貫通孔３１内に手動用のドライバーを差し入れ、先端をマウント部材５の受け溝５４ａに嵌合させて回す操作のみで容易に行える。そして、アダプタ３とマウント部材５とは連結されているので、同時にフィクスチャーＦ１から取外せる。
【００６５】
また、アダプタ３をマウント部材５と連結している状態でも、貫通孔３１から手動用のドライバーを差し入れて微調整できる利点もある。
【００６６】
以上、本発明の好ましい実施形態について詳述したが、本発明は上記した特定の実施形態に限定されるものではなく、特許請求の範囲に記載された本発明の要旨の範囲内において、種々の変形・変更が可能なものである。
【符号の説明】
【００６７】
１      歯科インプラント用手術器具
２      歯科ドライバー
２１    上部軸部
２１１  雄固定部
２１２  突起部
２１３  ハンドピース連結部
２２    回転伝達軸部
２２１  連結軸部
２２１ａ  連結片
２２１ｂ  先端部
２３    軸本体部
２４    フランジ部
３      アダプタ
３１    貫通孔
３２    雌固定部
３３    レンチ連結部
３３１    突条部
３３２    溝部
３３２ａ  載置部
３３２ｂ  止め部
４      連結部材
４０    本体部
４１    貫通孔
４２    把持部
４２１  スリット
４２２  止め部
４２３  窪み部
４３    スリット
４４    フランジ部
４５    凹部
５      マウント部材
５０    軸本体部
５１    ネジ部
５２    第１雄固定部
５３    第２雄固定部
５４    ドライバー連結部
５４ａ  受け溝
５５    突起部
５６    フランジ部
ＴＲ    トルクレンチ
Ｆ      フィクスチャー
【図１】
2018089205.tif 000003
【図２】
2018089205.tif 000004
【図３】
2018089205.tif 000005
【図４】
2018089205.tif 000006
【図５】
2018089205.tif 000007
【図６】
2018089205.tif 000008
【図７】
2018089205.tif 000009
【図８】
2018089205.tif 000010